(57)【要約】
【課題】　仮設建物に張設された可撓性シートの張り具合を簡単に調整することができ、可撓性シートの張力によって元の方向に弛んでしまうのを防止することができるシート巻取装置を提供する。
【解決手段】　可撓性シートＳの下端部に連結されて巻き取らせる巻取棒２と、この巻取棒２を回転させるために端部に取り付けられた操作レバー４と、巻取棒２の一端部に固定されると共に外周に沿って複数の湾曲ガイド面５ａおよび係止爪５ｂが形成された爪付き円板５と、巻取棒２を回転自在に支持する回転支持体３と、この回転支持体３を仮設建物１０に固定するための固定具８と、爪付き円板５の半径方向に往復動自在に設けられていると共に湾曲ガイド面５ａに案内されて係止爪５ｂと係止する落とし鍵７とを有している。
【選択図】　図１
0003100085.tif 000002
【実用新案登録請求の範囲】
【請求項１】
　仮設建物の壁面に張設される可撓性シートを巻き取って展張させるシート巻取装置であって、前記可撓性シートの下端部に連結されて巻き取らせる巻取棒と、この巻取棒を回転させるために端部に取り付けられた操作レバーと、前記巻取棒の一端部に固定されると共に外周に沿って複数の湾曲ガイド面および係止爪が形成された爪付き円板と、前記巻取棒を回転自在に支持する回転支持体と、この回転支持体を仮設建物に固定するための固定具と、前記爪付き円板の半径方向に往復動自在に設けられていると共に前記湾曲ガイド面に案内されて前記係止爪と係止する落とし鍵とを有していることを特徴とするシート巻取装置。
【請求項２】
　請求項１において、前記回転支持板には爪付き円板の半径方向に沿って鍵案内孔が形成されており、この鍵案内孔に落とし鍵が遊嵌されており、この落とし鍵は前記鍵案内孔に沿って上下動して係止爪を係止するようになっていることを特徴とするシート巻取装置。
【請求項３】
　請求項１または請求項２において、可撓性シートを仮設建物の内側方向に巻き取る場合、落とし鍵は、鉛直線から仮設建物の外側方向に約３０°傾斜された半径方向に沿って上下動し、係止爪を係止するようになっていることを特徴とするシート巻取装置。
【請求項４】
　請求項１または請求項２において、可撓性シートを仮設建物の外側方向に巻き取る場合、落とし鍵は、鉛直線から仮設建物の内側方向に約１５°傾斜された半径方向に沿って上下動し、係止爪を係止するようになっていることを特徴とするシート巻取装置。
【考案の詳細な説明】
【技術分野】
【０００１】
　本考案は、仮設建物の壁面に張設される可撓性シートを巻き取って展張させるシート巻取装置に関するものである。
【背景技術】
【０００２】
　従来より、図７に示すように、仮設建物の壁面部材として可撓性シートが展張されている。このような仮設建物では、等しい幅で長尺状の可撓性シートを複数枚準備し、それぞれ下端部を引っ張って展張させ、その状態を保持させるためにシート下端部を狭持部材によって狭持したり、重りを吊り下げたりすることにより弛まないようにしている。また、例えば、実公平６−１５９４２号公報に記載された考案には、カバーシートを巻き取る巻取器が記載されている。このカバーシート巻取器はハンドルを回すことによって開閉バーにカバーシートを巻き取らせるようになっている（特許文献１）。
【０００３】
【特許文献１】実公平６−１５９４２号公報
【考案の開示】
【考案が解決しようとする課題】
【０００４】
　しかしながら、前述した特許文献１においては、単に取り外されたカバーシートを巻き取るための装置であり、仮設建物の壁面に張設された可撓性シートの張力を保持させるための装置ではない。従って、装置の構造上、仮設建物に適用する構成となっておらず、展張強度に耐えられるものではない。また、可撓性シートの張り具合を任意に調整できない。このため他の可撓性シートとの張力バランスを調整できないという問題がある。
【０００５】
　特に、従来ではそれ程大型の仮設建物が必要とされていなかったため、可撓性シートもそれ程大量に使用されることはなく、長尺ではなかったため他の可撓性シートとの展張バランスを考慮したり、伸縮率を考慮する程の必要性がなかった。しかし、近年では建物の老朽化が進んでおり、鉄塔の破壊や焼却施設の破壊を行うニーズが生じており、この場合には、大型の仮設建物によって外囲いを施し、高い密閉度の中で作業を行わなければならない。このような大型の仮設建物では、可撓性シートを多数使用し、しかも非常に長尺にわたるシートを使用するため他の可撓性シートとの展張バランスを保つ必要がある。また、展張した可撓性シートを確実に保持して弛まないようにしなければならない。特に、可撓性シートは同じ種類の素材であっても、伸縮の程度や強度にバラツキが存在し、予想以上にシート端が余ってしまうこともある。このためそれぞれの可撓性シートを下端部で引っ張り、余分な弛みをなくす必要がある。
【０００６】
　本考案は、このような問題点を解決するためになされたものであって、仮設建物に張設された可撓性シートの張り具合を簡単に調整することができ、可撓性シートの張力によって元の方向に弛んでしまうのを防止することができるシート巻取装置を提供することを目的としている。
【課題を解決するための手段】
【０００７】
　本考案に係るシート巻取装置の特徴は、仮設建物の壁面に張設される可撓性シートを巻き取って展張させるシート巻取装置であって、前記可撓性シートの下端部に連結されて巻き取らせる巻取棒と、この巻取棒を回転させるために端部に取り付けられた操作レバーと、前記巻取棒の一端部に固定されると共に外周に沿って複数の湾曲ガイド面および係止爪が形成された爪付き円板と、前記巻取棒を回転自在に支持する回転支持体と、この回転支持体を仮設建物に固定するための固定具と、前記爪付き円板の半径方向に往復動自在に設けられていると共に前記湾曲ガイド面に案内されて前記係止爪と係止する落とし鍵とを有している点にある。
【０００８】
　また、本考案において、回転支持板には爪付き円板の半径方向に沿って鍵案内孔が形成されており、この鍵案内孔に落とし鍵が遊嵌されており、この落とし鍵は前記鍵案内孔に沿って上下動して係止爪を係止するようになっていてもよい。
【０００９】
さらに、本考案において、可撓性シートを仮設建物の内側方向に巻き取る場合、落とし鍵は、鉛直線から仮設建物の外側方向に約３０°傾斜された半径方向に沿って上下動し、係止爪を係止するようになっていることが好ましい。
【００１０】
また、本考案において、可撓性シートを仮設建物の外側方向に巻き取る場合、落とし鍵は、鉛直線から仮設建物の内側方向に約１５°傾斜された半径方向に沿って上下動し、係止爪を係止するようになっていることが望ましい。
【考案の効果】
【００１１】
　本考案によれば、仮設建物に張設された可撓性シートの展張具合を簡単に調整できて他の可撓性シートとのバランスを取ることができ、また、可撓性シートの張力によって元の方向に弛んでしまうのを防止することができる。
【考案を実施するための最良の形態】
【００１２】
　以下、本考案に係るシート巻取装置の好適な一実施形態について図面を用いて説明する。
　図１乃至図４に示すように、本実施形態のシート巻取装置１は、仮設建物１０に張設された可撓性シートＳの下端部に連結されてこの可撓性シートＳを巻き取る巻取棒２を有しており、この巻取棒２が板状の回転支持体３に軸受等を介して回転自在に支持されている。巻取棒２には可撓性シートＳを連結する図示しないスリット等が形成されている。また、この巻取棒２の一端部には回転操作を行うための操作レバー４が固定されている。また、この操作レバー４が固定されている側の巻取棒２の端部には、その外周に沿って複数の湾曲ガイド面５ａおよび係止爪５ｂが交互に形成された爪付き円板５が固定されている。
【００１３】
　また、回転支持体３には、爪付き円板５の半径方向に沿って鍵案内孔６が形成されており、この鍵案内孔６に落とし鍵７が遊嵌され、前記鍵案内孔６に沿って上下動し、係止爪５ｂを係止するようになっている。図４に示すように、落とし鍵７は、平面略Ｈ形状の板材の各足部分を前記鍵案内孔６に遊嵌させた後に直角に折り曲げて抜け止めされている。この折り曲げた部分が爪付き円板５の湾曲ガイド面５ａに摺接して案内され、係止爪５ｂにまで至ると下方に落ちて係止するようになっている。
【００１４】
鍵案内孔６は、回転支持体３に穿設されているがこの傾斜方向は、可撓性シートＳを仮設建物１０の内側方向に巻き取る場合と外側方向に巻き取る場合とで異なる。可撓性シートＳを仮設建物１０の内側方向に巻き取る場合、図３に示すように、鍵案内孔６は、鉛直線から仮設建物１０の外側方向に約３０°傾斜された半径方向に沿って形成されている。この傾斜角度は落とし鍵７の上下動の反応性を考慮して設定されている。
【００１５】
　一方、可撓性シートＳを仮設建物１０の外側方向に巻き取る場合、図５に示すように、スペースの関係や上下動の反応性を考慮して、鍵案内孔６は鉛直線から仮設建物１０の内側方向に約１５°傾斜された半径方向に沿って形成されている。
【００１６】
　また、回転支持板には、仮設建物１０の柱管等に固定するためのクランプ等から構成される固定具８が取り付けられており、任意の場所に固定することができる。
【００１７】
　つぎに、前述した構成を備えた本実施形態のシート巻取装置１の作用について説明する。本実施形態のシート巻取装置１は、例えば図６で示すように、仮設建物１０の壁面に展張する可撓性シートＳを巻き取る場合、まず、その可撓性シートＳ間に配されている建枠の縦地に固定具８によって固定する。そして、可撓性シートＳを巻取棒２に連結し、操作レバー４を回転操作すると回転支持体３に対して前記巻取棒２が回転する。このとき、爪付き円板５の湾曲ガイド面５ａに沿って落とし鍵７が上方向への作用力を受け、鍵案内孔６に沿って上方に移動し、係止爪５ｂの位置まで案内されると下方へ移動し、係止爪５ｂを係止する。このように落とし鍵７はいくつかの湾曲ガイド面５ａと係止爪５ｂとを乗り越えて、可撓性シートＳが十分に展張された位置において最終的に係止爪５ｂと係合し、可撓性シートＳが弛むのを防止する。そして、可撓性シートＳを取り外す場合には、落とし鍵７を鍵案内孔６に沿って上方へ持ち上げて、操作レバー４を開放方向に回転させて可撓性シートＳを弛める。
【００１８】
　以上のように本実施形態によれば、仮設建物１０に張設された可撓性シートＳの展張具合を簡単に調整できて他の可撓性シートＳとのバランスを取ることができ、可撓性シートＳの張力によって元の方向に弛んでしまうのを防止することができる。
【００１９】
　なお、本考案に係るシート巻取装置１た実施形態に限定されるものではなく、適宜変更することができる。例えば、操作レバー４から巻取棒２を回転させためにギア等で構成される伝達機構を設けて軽い力で回転させられるようにしてもよい。
【図面の簡単な説明】
【００２０】
【図１】本考案に係るシート巻取装置の一実施形態を示す斜視図である。
【図２】本実施形態を図１と異なる角度から示す斜視図である。
【図３】本実施形態における爪付き円板側の端部から見た側面図であり、可撓性シートを内側に巻き取る場合を示している。
【図４】本実施形態における落とし鍵の（ａ）折り曲げ前の正面図、（ｂ）折り曲げ後の側面図である。
【図５】本実施形態における爪付き円板側の端部から見た側面図であり、可撓性シートを外側に巻き取る場合を示している。
【図６】本実施形態を仮設建物に適用した状態を示す模式図である。
【図７】従来の仮設建物に使用される可撓性シートを示す模式図である。
【符号の説明】
【００２１】
　１　シート巻取装置
　２　巻取棒
　３　回転支持体
　４　操作レバー
　５　爪付き円板
　５ａ　湾曲ガイド面
　５ｂ　係止爪
　６　鍵案内孔
　７　落とし鍵
　８　固定具
　１０　仮設建物
　Ｓ　可撓性シート
【図１】
0003100085.tif 000003
【図２】
0003100085.tif 000004
【図３】
0003100085.tif 000005
【図４】
0003100085.tif 000006
【図５】
0003100085.tif 000007
【図６】
0003100085.tif 000008
【図７】
0003100085.tif 000009